(57)【要約】【課題】本発明の日常、着用する被服がそのまま防災被服なり、常時、災害に対応できることを目的になされたものである。【解決手段】Ｔシャツ等の日常着用被服の前面部表面と後面部表面のそれぞれ上部には、一枚の細長い包帯用布が、同前面部表面と後面部表面のそれぞれ下部には、バンダナがそれぞれ展開状態で、手で掴んで引っ張る等の適当な外力を与えると切断する取付け糸による逢着手段により取付けられてなる。【選択図】図１
2019119962.tif 000002
【特許請求の範囲】
【請求項１】
日常着用被服に防災グッズが手で掴んで引っ張る等の適当な外力を与えると切断する取付け糸による逢着手段により取付けられるなる防災日常着用被服。
【請求項２】
Ｔシャツ等の日常着用被服の着用者の胸部と対応する前面部表面に、一枚の方形布で構成される四角巾を、手で掴んで引っ張る等の適当な外力を与えると切断する取付け糸による逢着手段により取付けられてなる防災日常着用被服。
【請求項３】
Ｔシャツ等の日常着用被服の前面部表面と後面部表面のそれぞれ上部には、一枚の細長い包帯用布が、同前面部表面と後面部表面のそれぞれ下部には、バンダナがそれぞれ展開状態で、手で掴んで引っ張る等の適当な外力を与えると切断する取付け糸による逢着手段により取付けられてなる防災日常着用被服。
【請求項４】
Ｔシャツ等の日常着用被服の前面部表面に布製のポシェットが、その肩掛け紐体を内側に収容された状態で、手で掴んで引っ張る等の適当な外力を与えると切断する取付け糸による逢着手段により取付けられてなる防災日常着用被服。
【請求項５】
前記手で掴んで引っ張る等の適当な外力を与えると切断する取付け糸とは刺繍糸である請求項１、請求項２、請求項３又は請求項４の防災日常着用被服。
【発明の詳細な説明】
【技術分野】
【０００１】
本発明は、防災日常着用被服、詳しくは、震災等の災害により負傷したときに着用の被服から手切れで、傷口を押さえて出血を応急的に停止できる包帯及び三角巾等、また、災害時に身を守るマスクとなる布地、さらに、飲料、食料、身回り品等を収容するバック等の防災グッズを配備している日常着となる被服に関するものである。
【背景技術】
【０００２】
特許文献１では、経糸（２）と緯糸（３）で基布（４）を織成し、その緯糸（３）の引張り強さを経糸（２）よりも強く形成し、上記基布４にガラス転移点が−４℃以下のエマルジョンタイプゴム（１３）を噴霧塗布する、手切れ性を有する伸縮包帯が提案されている。
【０００３】
特許文献２では、５０デニール以下で、強度４ｇ／デニールから５ｇ/デニールの糸を使用し毎コース鎖ループを編成しながら、ウェール方向に編目列を形成している経糸に、素材が合成繊維、レーヨン、ナイロン、エステルの場合、１００デニールから５００デニール、綿又はスフの場合は１０番手から５０番手の糸を使用した緯糸を１コースから３コースごとに挿入し地組織を形成した包帯及び前記包帯の裏側に粘着剤を塗った包帯が提案されている。
【０００４】
特許文献３では、表地、裏地を縫製するとともに、表地の縦方向の略全面にかけて両開きのファスナーを設け、縦方向に離反した横方向の多数の縫製線、縦方向のファスナーによって、略短形の空間を表地、裏地の間に規定し、その空間をファスナーの左右に分断されたポケットとした被服と、表地、裏地からそれぞれなる前身頃、後身頃、フード、袖を縫製して空間をそれぞれの表地、裏地の間に規定し、表地の縦方向の略全面にかけて縦方向のファスナーをそれぞれ設けて、上記空間をファスナーの左右に分断されたポケットとした被服と、表地、裏地からそれぞれなる前身頃、後身頃、フード、袖を縫製して略短形の空間をそれぞれの表地、裏地の間に規定し、表地の縦方向の略全面にかけて縦方向のファスナーをそれぞれ設けて、上記空間をファスナーの左右に分断されたポケットとし、非常時の食糧、医薬品、ラジオ等非常時に最小限必要なものをポケットに予め収納させた被服と、ポケットがファスナーの左右に互い違いに設けられた被服と、表地、裏地を縫製して空間を表地、裏地の間に規定し、表地の縦方向の略全面にかけて縦方向のファスナーを設けて、上記空間をファスナーの左右に分断されたポケットとしたリックサックと、表地、裏地を縫製して空間を表地、裏地の間に規定し、表地の縦方向の略全面にかけて縦方向のファスナーを設けて、上記空間をファスナーの左右に分断されたスリーピングバックとが提案されている。
【０００５】
特許文献４では、頭巾本体１と内布２からなる防災頭巾であって、頭巾本体１は薄手の布からなり、内布２はタオル地からなり、頭巾本体１の前縁１ｅと内布２の前縁２ｅが留め部材３で着脱可能に留められており、頭巾本体１と内布２のそれぞれの上縁同士及び後縁同士の一部若しくは全部が糸で取り外し可能に取り付けられている、防災頭巾が提案されている。
【先行技術文献】
【特許文献】
【０００６】
【特許文献１】特開平９−１３１３７４号公報
【特許文献２】特開２００１−２３１８１３号公報
【特許文献３】実用新案登録第２５１７３２４号公報
【特許文献４】実用新案登録第３１４３８２５号公報
【発明の開示】
【発明が解決しようとする課題】
【０００７】
特許文献１で提案される手切れ性を有する伸縮包帯は、切断にハサミなどの道具を用いる必要がないから、それらの使用できない環境で使用される防災グッズとしては最適であるが、常時、携帯しなければならない点が欠点になっている。
【０００８】
特許文献２で提案される手で簡単にカットできる包帯は、地組織を編物としたものであるから、特許文献１と同様に、切断にハサミなどの道具を用いる必要がないから、同じく、防災グッズとしては最適であるが、常時、携帯しなければならない点が欠点になっている。
【０００９】
特許文献３で提案される被服は、図示の被服の形状、縫製は一例であり、図示のものに限定されないものであり、被服への応用が一般的とはいえ、被服以外の、たとえば、リュック、スリーピングバック(寝袋)、帽子、バッグ、書類入れ、財布等に具体化してもよいものである。各種の防災機能を総合的に充実している点が日常、着用する被服としては欠点となっているものである。
【００１０】
特許文献４で提案される防災頭巾は、頭部を保護する機能に特化された特殊の被服であり、日常着用される被服とは異なるものである。
【００１１】
本発明の防災日常着用被服は、日常、着用される被服から手切りにより包帯、三角巾等の布地、また、災害時に身を守るマスクとなる布地、日焼けまたは防寒グッズとしてのバンダナ、飲料、食料、見回り品を収容するバック等の防災グッズ等を配備して常時、防災グッズとして対応できることを目的になされたものである。
【００１２】
その手段において、ハサミなどの切断道具を利用することなく、日常、着用している被服が着用者又は居合わせる人の手で切断によりで防災グッズを入手できることを目的に開発されたものである。
【課題を解決するための手段】
【００１３】
日常着用被服に防災グッズが手で掴んで引っ張る等の適当な外力を与えると切断する取付け糸による逢着手段により取付けられてなる防災日常着用被服にある。
【００１４】
Ｔシャツ等の日常着用被服の着用者の胸部と対応する前面部表面に、一枚の方形布で構成される三角巾等の布地を、手で掴んで引っ張る等の適当な外力を与えると切断する取付け糸による逢着手段により取付けられてなる防災日常着用被服としてもよいものである。
【００１５】
Ｔシャツ等の日常着用被服の前面部表面と後面部表面のそれぞれ上部には、一枚の細長い包帯用布が、同前面部表面と後面部表面のそれぞれ下部には、バンダナがそれぞれ展開状態で、手で掴んで引っ張る等の適当な外力を与えると切断する取付け糸による逢着手段により取付けられてなる防災日常着用被服。
【００１６】
Ｔシャツ等の日常着用被服の前面部表面と後面部表面のそれぞれ上部には、一枚の細長い包帯用布が、同前面部表面と後面部表面のそれぞれ下部には、バンダナがそれぞれ展開状態で、手で掴んで引っ張る等の適当な外力を与えると切断する取付け糸による逢着手段により取付けられてなる防災日常着用被服としてもよいものである。
【００１７】
Ｔシャツ等の日常着用被服の前面部表面に布製のポシェットが、その肩掛け紐体を内側に収容された状態で、手で掴んで引っ張る等の適当な外力を与えると切断する取付け糸による逢着手段により取付けられてなる防災日常着用被服としてもよいものである。
【００１８】
前記手で掴んで引っ張る等の適当な外力を与えると切断する取付け糸は刺繍糸でもよいものである。
【発明の効果】
【００１９】
本発明の防災日常着用被服は、災害に遭遇し、負傷した場合に直ちに必要となる包帯、三角巾等の布地を、手切りにより着用の被服から入手することができる。
前記布地が被服から手切れされた後においても、被服としての不便をもたらすことはないから、本発明の防災日常着用被服は、そのまま着用を継続することができるものである。
【００２０】
また、取付け糸により被服に配備されるポシェットなど袋物は、身体を維持する飲料、食料及び身回り品を収容手段として重宝するものである。
【図面の簡単な説明】
【００２１】
【図１】本発明の防災日常着用被服の実施例１の四角巾を配備した外観正面図である。
【図２】本発明の防災日常着用被服の実施例２の四角巾を配備した外観正面図である。
【図３】本発明の防災日常着用被服の実施例３の包帯用布とバンダナを配備した外観正面図である。
【図４】同じく実施例３の包帯用布の単体を取り出して展開した状態の外観正面図である。
【図５】同じく実施例３のバンダナの単体を取り出して展開した状態の外観正面図である。
【図６】本発明の防災日常着用被服の実施例４の布製のポシェットを配備した外観正面図である。
【図７】同じく実施例４の布製のポシェットの単体を取り出した状態の外観正面図である。
【発明を実施するための形態】
【００２２】
日常着用被服に防災グッズが手で掴んで引っ張る等の適当な外力を与えると切断する取付け糸（刺繍糸）による逢着手段により取付けられるなる防災日常着用被服。
【実施例】
【００２３】
本発明に係る防災日常着用被服を、実施例１のＴシャツ１にあっては図１により、実施例２のＴシャツ２にあっては図２により、実施例３のＴシャツ３にあっては図３、図４及び図５により、実施例４のＴシャツ４にあっては図６及び図７によりそれぞれ説明する。
【００２４】
本発明に係る実施例１のＴシャツ１は、メリヤス生地により製造される。このＴシャツ１の着用者の胸部と対応する前面部表面１ａに、一枚の方形布で構成される四角巾５が、手で掴んで引っ張る等の適当な外力を与えると切断する取付け糸(例えば、パールヨット印レーヨンミシン刺繍糸：品番レーヨン120D/2)６による逢着手段により取付けられる。
【００２５】
前記取付け糸６が手切れで切断する時、Ｔシャツ１は、切断等の破損にいたらないことが条件となる。
【００２６】
前記四角巾５は、生地が前記Ｔシャツ１のメリヤス生地と同一で作られ、その表面には装飾効果のあるデザイン(文字・図形)７が施されている。
【００２７】
前記Ｔシャツ１の下縁には、裏側に折りかえされ、その上縁が本体部と縫着されて構成された空間部が周回紐体収容部８に設けられ、本体の前面の開口させた引出孔８ａ，８ｂと連通され、前記周回紐体収容部８に収容される紐体９の両端部９ａ，９ｂを前記引出孔８、８ｂから所要長さ引き出されている。
【００２８】
本発明に係る実施例１の防災日常着用被服としてのＴシャツ１は、前述のように構成されるから、通常は、一般の被服のＴシャツとしてそのまま着用することができる。そして、災害に遭遇した場合、手切れによりＴシャツ１から血止め用の四角巾５を入手することができ、傷口を押さえて出血を応急的に停止できるものである。
【００２９】
また、前記Ｔシャツ１の引出孔８ａ，８ｂから紐体９を引出し、災害時の結合用具として活用できるものである。
【００３０】
本発明に係る実施例２のＴシャツ２は、実施例１と同様に、メリヤス生地により製造される。このＴシャツ２の着用者の胸部と対応する前面部表面２ａに、一枚の方形布で構成される四角巾１０を、その角部が上下左右に位置する状態に置かれ、実施例１と同様に、手で掴んで引っ張る等の適当な外力を与えると切断する取付け糸６による逢着手段により取付けられる。
【００３１】
前記四角巾１０は、生地はＴシャツ２のメリヤス生地と実施例１と同様に、同一に作られ、その表面には装飾効果のあるデザイン(文字・図形)１１が施されている。
【００３２】
前記Ｔシャツ２の下縁には、実施例１と同様の構成により周回紐体収容部１２が設けられ、本体の前面の開口させた引出孔１２ａ，１２ｂと連通され、周回紐体収容部１２に収容される紐体１３の両端部１３ａ，１３ｂが前記引出孔１２、１２ｂから所要長さ引き出されている。
【００３３】
本発明に係る実施例２のＴシャツ２は、前述のように構成されるから、通常は、実施例１と同様に、一般の被服のＴシャツとしてそのまま着用することができる。そして、災害に遭遇した場合、実施例１と同様に、手切れによりＴシャツから血止め用の四角巾１０を入手することができ、傷口を押さえて出血を応急的に停止できるものである。
【００３４】
また、前記Ｔシャツ２の下縁の周回紐体収容部１２に収容される紐体１３の両端部１３ａ，１３ｂの一方端を引出孔１２ａ又は１２ｂから引出して全体を引出し、実施例１と同様に、災害時の結合用具として活用できるものである。
【００３５】
本発明に係る実施例３のＴシャツ３を、図３、図４及び図５により説明すると、Ｔシャツ３は、実施例１と同様に、メリヤス生地により製造される。このＴシャツ３の着用者の胸部と対応する前面部表面３ａと背中と対応する後面部表面(図示を省略)のそれぞれ上部に一枚の細長い包帯用布１４が展開された状態で、実施例１と同様の手で掴んで引っ張る等の適当な外力を与えると切断する取付け糸６による逢着手段により取付けられる。
【００３６】
前記Ｔシャツ３は、着用者の胸部と対応する前面部表面３ａと背中と対応する後面表面(図示を省略)のそれぞれ下部に、バンダナ１５が展開された状態で、実施例１と同様の手で掴んで引っ張る等の適当な外力を与えると切断する取付け糸６による逢着手段により取付けられる。
【００３７】
本発明に係る実施例３のＴシャツ３は、前述のように構成されるから、通常は、実施例１と同様に、一般の被服のＴシャツとしてそのまま着用することができる。そして、災害に遭遇した場合、上部の前面部表面３ａと後面部表面(図示を省略)から、包帯用布１４を、実施例１と同様に、取付け糸６を手切れによる切断で血止めの包帯用布１４を入手することができ、傷口を押さえて出血を応急的に停止できるものである。
【００３８】
また、下部の前面部表面３ａと後面部表面(図示を省略)からは、バンダナ１５を、前記包帯用布１４と同様に、取付け糸６を手切れによる切断で入手することができ、頭部の保護に、口元を覆うマスクとして利用することができるものである。
【００３９】
本発明に係る実施例４のＴシャツを、図６及び図７により説明すると、実施例１と同様に、メリヤス生地により製造される。このＴシャツ４の前面部表面４ａに布製のポシェット１６が、その肩掛け紐体１７を内側に収容された状態で、実施例１と同様に、手で掴んで引っ張る等の適当な外力を与えると切断する取付け糸６による逢着手段により取付けられる。
【００４０】
本発明に係る実施例４のＴシャツ４は、前述のように構成されるから、通常は、実施例１と同様に、一般の被服のＴシツャツとしてそのまま着用することができる。そして、災害に遭遇した場合、前面部表面４ａから、布製のポシェット１６を、実施例１と同様に、取付け糸６を手切れによる切断で、図７に示すように、入手することができ、これを災害時の飲料品、食料品、身回生活用品を収容する肩掛け収容袋として利用できるものである。
【００４１】
本発明に係る防災日常着用被服の実施例として、実施例１、実施例２、実施例３及び実施例４にＴシャツ１、Ｔシャツ２、Ｔシャツ３及びＴシャツ４を示したが、これらＴシャツに限定するものではなく、取付け構造の適用できるあらゆる日常着用被服に利用できるものである。
【００４２】
防災グッズの実施例としても、前述の四角巾、包帯用布、バンダナ及び布製のポシェットに限定するものではなく、取付け構造の適用できるあらゆる防災グッズに利用できるものである。
【００４３】
防災日常着用被服に対する防災グッズの取付部位についても、その防災日常着用被服の表面ではなく、裏面でも、また、防災日常着用被服の外面でも、内面でもよいものである。
【産業上の利用可能性】
【００４４】
本発明の防災日常着用被服は、人々が常時着用する日常着用被服に災害に備える防災グッズを配備させることにより、生産活動を安全面から、物的、精神的に担うものである。
【符号の説明】
【００４５】
１  実施例１のＴシャツ
１ａ  前面部表面
２  実施例２のＴシャツ
２ａ  前面部表面
３  実施例３のＴシャツ
３ａ  前面部表面
４  実施例４のＴシャツ
４ａ  前面部表面
５  四角巾
６  取付け糸
７  デザイン
８  周回紐体収容部
８ａ  引出孔
８ｂ  引出孔
９  紐体
９ａ  端部
９ｂ  端部
１０  四角巾
１１  デザイン
１２  周回紐収容部
１２ａ  引出孔
１２ｂ  引出孔
１３  紐体
１３ａ  端部
１３ｂ  端部
１４  包帯用布
１５  バンダナ
１６  布製のポシェット
１７  肩掛け紐体
【図１】
2019119962.tif 000003
【図２】
2019119962.tif 000004
【図３】
2019119962.tif 000005
【図４】
2019119962.tif 000006
【図５】
2019119962.tif 000007
【図６】
2019119962.tif 000008
【図７】
2019119962.tif 000009